(57)【要約】  【課題】直冷式冷却器を備えた冷蔵庫の給水装置に関し、貯水タンクに給水される水をすばやく冷却し、低温に保温する。  【解決手段】冷蔵室９の扉１０に備え付けられる給水装置１１と、冷蔵室９の内部に備えられる貯水タンク１２と、貯水タンク１２と給水装置１１とを結ぶ給水パイプ１３と、冷蔵室９を冷却する直冷式冷却器１４とを備え、貯水タンク１２の上部に冷却器１４より延出した冷却板１５と、冷却器１４からの冷気を導く吐出口２１を有したエアーガイダー１７とを有し、冷却板１５と冷蔵室壁面との間に空間部１８を形成したものであり、直冷式冷却器１４で冷却された冷気による貯水タンク１２への冷気対流を促進することができ、貯水タンク１２をすばやく冷却し低温に保温することができ、給水装置１１の使い勝手を向上することができる。【選択図】図１
2008039241.tif 000002
【特許請求の範囲】
【請求項１】
冷蔵室の扉に備え付けられる給水装置と、前記冷蔵室の内部に備えられる貯水タンクと、前記貯水タンクと前記給水装置とを結ぶ給水パイプと、冷蔵室を冷却する直冷式冷却器とを備え、前記貯水タンク上部に前記冷却器より延出した冷却板と、冷却器からの冷気を導く吐出口を有したエアーガイダーとを有し、前記冷却板と冷蔵室壁面との間に空間部を形成したことを特徴とする冷蔵庫。
【請求項２】
前記貯水タンクの上部に冷蔵室扉の内壁から凸部を形成したことを特徴とする請求項１に記載の冷蔵庫。
【請求項３】
前記エアーガイダーの前記貯水タンク上面に対向して吐出口を備えたことを特徴とする請求項１または２に記載の冷蔵庫。
【請求項４】
前記エアーガイダーと前記貯水タンクとの間にシール用のヒレを有することを特徴とする請求項１から３のいずれか一項に記載の冷蔵庫。
【請求項５】
貯水タンクと前記貯水タンクを固定している扉壁面との間に空間部を備えたことを特徴とする請求項１から４のいずれか一項に記載の冷蔵庫。
【発明の詳細な説明】
【技術分野】
【０００１】
本発明は、扉の内箱に配設された貯水タンクから扉の外側へ冷水を供給する給水装置を備えた冷蔵庫に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配設されるパイプとを有しているものがある（例えば、特許文献１参照）。
【０００３】
図２は、特許文献１に記載された従来の冷蔵庫の給水装置の断面図を示すものである。図２に示すように冷蔵庫本体１の扉２と、貯水タンク３と、キャップ４と、給水タンク５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉められ、貯水タンク５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約２℃）に保温できないという課題を有していた。
【０００７】
本発明は従来の課題を解決するもので、貯水タンクに給水された水をすばやく冷却することができるようにした給水装置を提供することを目的とする。
【課題を解決するための手段】
【０００８】
上記従来の課題を解決するために、本発明の冷蔵庫は、冷蔵室の扉に備え付けられる給水装置と、前記冷蔵室の内部に備えられる貯水タンクと、前記貯水タンクと前記給水装置とを結ぶ給水パイプと、冷蔵室を冷却する直冷式冷却器とを備え、前記貯水タンク上部に前記冷却器より延出した冷却板と、冷却器からの冷気を導く開口穴を有したエアーガイダーとを有し、前記冷却板と冷蔵室壁面との間に空間部を形成したものである。
【０００９】
これによって直冷式冷却器で冷却された冷気による貯水タンクへの冷気対流を促進することができる。
【発明の効果】
【００１０】
本発明の冷蔵庫は、冷蔵室の扉に備え付けられる給水装置に給水するための貯水タンクをすばやく冷却し低温に保温することができ、給水装置の使い勝手を向上することができる。
【発明を実施するための最良の形態】
【００１１】
請求項１に記載の発明は、冷蔵室の扉に備え付けられる給水装置と、前記冷蔵室の内部に備えられる貯水タンクと、前記貯水タンクと前記給水装置とを結ぶ給水パイプと、冷蔵室を冷却する直冷式冷却器とを備え、前記貯水タンク上部に前記冷却器より延出した冷却板と、冷却器からの冷気を導く吐出口を有したエアーガイダーとを有し、前記冷却板と冷蔵室壁面との間に空間部を形成したものであり、直冷式冷却器で冷却された冷気による貯水タンクへの冷気対流を促進することができ、貯水タンクをすばやく冷却し低温に保温することができ、給水装置の使い勝手を向上することができる。
【００１２】
請求項２に記載の発明は、請求項１に記載の発明において、前記貯水タンクの上部に冷蔵室扉の内壁から凸部を形成したものであり、冷蔵庫前面開口部周縁の熱侵入を低減でき、貯水タンクの冷却能力を高めることができる。
【００１３】
請求項３に記載の発明は、請求項１または２に記載の発明において、前記エアーガイダーの前記貯水タンク上面に対向して吐出口を備えたものであり、さらにエアーガイダーから貯水タンクへの冷気の流れをスムーズにすることができ、貯水タンクの冷却能力を高めることができる。
【００１４】
請求項４に記載の発明は、請求項１から３のいずれか一項に記載の発明において、前記エアーガイダーと前記貯水タンクとの間にシール用のヒレを有するものであり、エアーガイダーから貯水タンクへ冷気が確実に流れて、貯水タンクの冷却能力を効率的に高めることができる。
【００１５】
請求項５に記載の発明は、請求項１から４のいずれか一項に記載の発明において、貯水タンクと前記貯水タンクを固定している扉壁面との間に空間部を備えたものであり、さらにエアーガイダーから貯水タンクへの冷気の流れをスムーズにすることができ、貯水タンクの冷却能力を高めることができる。
【００１６】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１７】
（実施の形態１）
図１は、本発明の実施の形態１における冷蔵庫の給水装置の断面図である。
【００１８】
図１において、冷蔵庫本体１の前面開口部を塞ぐように扉１０を備え、扉１０の庫内側上部に貯水タンク１２を配置している。そして、冷蔵庫本体１の冷蔵室９の内側上部に冷凍室２４を形成するための直冷式冷却器１４が配設されており、さらに冷却器１４より上方に傾斜して延出した冷却板１５が貯水タンク１２の上部に位置するように配設されている。
【００１９】
そして、冷却板１５と貯水タンク１２の間に冷却板１５を覆うようにエアーガイダー１７を配置し、エアーガイダー１７の貯水タンク１２の上部に対向して吐出口２１を複数有している。また、冷却板１５と内箱７との間に空間部１８を形成している。また冷却板１５の先端部を覆うエアーガイダー１７の先端部には開口穴１６を有している。
【００２０】
貯水タンク１２の下部には給水パイプ１３の一端が接続され、他端は給水装置１１に接続している。そして給水装置１１のレバー１１ａをコップ等で押すことで貯水タンク１２に貯水された冷水が自重で給水パイプ１３を通りコップに給水されるものである。
【００２１】
また、扉１０を備えた冷蔵庫本体１の庫内側上部に扉内箱１９から突出した凸部２０が形成され、凸部２０は貯水タンク１２の上部でエアーガイダー１７と近接するように形成している。
【００２２】
また、エアーガイダー１７の下部にシール用のヒレ２２の先端部が貯水タンク１２の庫内側上面端部に接するように固定されている。
【００２３】
また、貯水タンク１２を固定している扉１０の扉内箱１９と貯水タンク１２の間には空間部２３を形成している。
【００２４】
以上のように構成された給水装置について、以下その動作、作用を説明する。
【００２５】
まず、冷蔵庫本体１の冷却運転が始まると、冷却器１４が冷却される。合わせて、冷却器１４から延出した冷却板１５も冷却され、開口穴１６から入り冷却板１５の空間部１８周辺で冷却された冷気がエアーガイダー１７でガイドされながら吐出穴２１より吐出し、貯水タンク１２をすばやく冷却し、低温に保温することができる。
【００２６】
また、扉１０を備えた冷蔵庫本体１の庫内側上部に扉内箱１９から突出した凸部２０が形成され、凸部２０は貯水タンク１２の上部でエアーガイダー１７と近接するように形成しているので、凸部２０と内箱７とのスロートを狭くでき、給水タンク１２への外部からの熱影響が低減し貯水タンク１２の冷却能力を高めることができる。
【００２７】
また、エアーガイダー１７の貯水タンク１２の上部に対向して吐出口２１を複数有しているので、さらに貯水タンクの冷却能力を高めることができる。
【００２８】
また、エアーガイダー１７の下部にシール用のヒレ２２の先端部が貯水タンク１２の庫内側上面端部に接するように設けているので、エアーガイダー１７から貯水タンク１２へ冷気が確実に流れて、貯水タンク１２の冷却能力を効率的に高めることができる。
【００２９】
また、貯水タンク１２を固定している扉１０の扉内箱１９と貯水タンク１２の間には空間部２３を形成しているので、貯水タンク１２の側面からの冷気対流が向上し、貯水タンク１２をすばやく冷却し、低温に保温することができる。
【産業上の利用可能性】
【００３０】
以上のように、本発明にかかる冷蔵庫は、直冷式冷蔵庫の貯水タンクの水をすばやく冷却し、低温に保温することが可能となるので、直冷式冷却器で給水装置を備えた冷却機器全般への用途に適用できる。
【図面の簡単な説明】
【００３１】
【図１】本発明の実施の形態１における冷蔵庫の給水装置の断面図
【図２】従来の冷蔵庫の給水装置の断面図
【符号の説明】
【００３２】
９    冷蔵室
１０  扉
１１  給水装置
１２  貯水タンク
１３  給水パイプ
１４  冷却器
１５  冷却板
１７  エアーガイダー
１８  空間部
１９  扉内箱
２０  凸部
２１  吐出口
２２  ヒレ
２３  空間部
【図１】
2008039241.tif 000003
【図２】
2008039241.tif 000004